(57)【要約】  本発明は、転子主軸の横方向成形体を通って大腿骨の髄質空間に挿入される髄間ピン（１）に関している。前記ピンは、近方ピン区間と、隣接する遠方ピン区間と、両方のピン区間における骨ねじのための孔（２、３、４、５、６、７、８）とを備えている。前記近方ピン区間は、長手軸に対して斜めに走る少なくとも一つの孔（３、４）を備えており、骨ねじが前記孔を通って大腿骨の頭部に挿入されることができ、又は、ねじが前記孔（２）を通って順行方向に挿入されることができる。前記遠方ピン区間は、少なくとも部分的に垂直であり、且つ前記近方ピン区間は、横方向−後方方向に湾曲を有している。
2008516659.tif 000002
【特許請求の範囲】
【請求項１】
転子主軸の横方向成形体を通って大腿骨の髄質空間に挿入される髄間ピン（１）であって、
近方ピン区間と、それに隣接する遠方ピン区間と、を備え、
且つ、両方のピン区間において骨ねじのための孔（２、３、４、５、６、７、８）を備えており、
前記近方ピン区間が長手軸に対して斜めに走る少なくとも一つの孔（３、４）を有しており、骨ねじが前記孔を通って大腿骨の頭部に挿入されることができ、
前記遠方ピン区間が少なくとも部分的に直線であり、前記近方ピン区間が横方向−後方方向に湾曲を有していることを特徴とする髄間ピン（１）。
【請求項２】
骨ねじが、前記斜めの孔（３、４）の一つを通る代わりに、順行孔（２）を通って挿入されることができることを特徴とする、請求項１に記載の髄間ピン（１）。
【請求項３】
近端及び遠端の平面がお互いに対して６０°〜１１０°、好ましくは７０°〜９０°、特に約８０°捻れ、前記ピンの半径は３００〜１３００ｍｍ、好ましくは９００〜１２００ｍｍ、特に約１１００ｍｍであることを特徴とする、先の請求項のいずれかに記載の髄間ピン（１）。
【請求項４】
前記近方ピン区間の長さが皮質との横方向接触表面に対応しており、前記近方ピン区間が３００〜１０００ｍｍ、好ましくは６００〜８００ｍｍ、特に約７００ｍｍの半径を有していることを特徴とする、先の請求項のいずれかに記載の髄間ピン（１）。
【請求項５】
前記遠方直線区間の長さが、埋め込まれた状態で前記ピンの遠端が遠方海綿構造に貫通する深さに対応しており、３５〜７０ｍｍ、好ましくは４０〜６０ｍｍ、特に約５２ｍｍであることを特徴とする、先の請求項のいずれかに記載の髄間ピン（１）。
【請求項６】
前記ピンが、その最終埋め込み深さ範囲に到達するとピンは自分自身で回転を中止し、且つその最終埋め込み深さ範囲では回転の変化無しにその長手軸に沿って移動させることができ、且つ前記ピンがその最終埋め込み深さ範囲で、その埋め込み深さを変えることなく、その長手軸の周りを任意に回転されることができるように形成されていることを特徴とする、先の請求項のいずれかに記載の髄間ピン（１）。
【請求項７】
前記ピンが、
太さ約５．０ｍｍのロッキングねじのための１２０°順行孔（２）と、
前記順行孔（２）に中心方向に一致している太さ約６．５ｍｍの軸ねじのための頭部１３０°偵察孔（３）と、
太さ３．９〜６．０ｍｍの軸ねじのための尾部１３０°偵察孔（４）と、
前記近接領域における太さ３．９〜６．０ｍｍのロッキングねじの静的及び動的位置決めのための楕円孔（５）と、
横切るように且つお互いに平行に走る２つの孔（６）及び（７）と、遠端において前記孔（６、７）に対して２５°回転した前外側の孔（８）と、
を備えていることを特徴とする、先の請求項のいずれかに記載の髄間ピン（１）。
【請求項８】
前記近方ピン区間が楕円孔（５）を有していることを特徴とする、先の請求項のいずれかに記載の髄間ピン（１）。
【請求項９】
前記ピンが、その近端において、横方向−近端にて軸方向ピン軸に対して１０°〜６０℃、好ましくは約４０°の角度を有する横方向傾斜面（９）を有していることを特徴とする、先の請求項のいずれかに記載の髄間ピン（１）。
【請求項１０】
前記ピンの前記近端と前記ピンを係合させることができる屈曲した金属との間において移行及び輪郭のマッチングが中断されることを特徴とする、先の請求項のいずれかに記載の髄間ピン（１）。
【請求項１１】
前記ピンがその近端で単一の位置決め溝（１０）を有することを特徴とする、先の請求項のいずれかに記載の髄間ピン（１）。
【請求項１２】
前記ピンが、その近端で、ねじ山（１１）を有する円筒形状の凹部（１２）を有することを特徴とする、先の請求項のいずれかに記載の髄間ピン（１）。
【請求項１３】
前記円筒形状の凹部（１２）を通る前記ピン軸が屈曲した金属と同軸に位置合わせされることができて、前記ねじ山（１１）が接触圧力のみを作用することを特徴とする、先の請求項のいずれかに記載の髄間ピン（１）。
【請求項１４】
ピン先端の全長が２０〜５０ｍｍ、好ましくは２５〜３５ｍｍ、特に約３０ｍｍであり、これが、放射状区間において、円形形状とは異なった特別な先端表面（１３）、特に少なくとも３つの凹状ノッチを有しており、その長さが１０〜４０ｍｍ、好ましくは１５〜２５ｍｍ、特に約２０ｍｍであり、且つその半径が４〜１０ｍｍ、好ましくは５〜８ｍｍ、特に約６ｍｍであることを特徴とする、先の請求項のいずれかに記載の髄間ピン（１）。
【請求項１５】
ピン先端の全長が２０〜５０ｍｍ、好ましくは２５〜３５ｍｍ、特に約３０ｍｍであり、これが、放射状区間において、円形形状とは異なった特別な先端表面（１３）、特に少なくとも３つの平坦表面を有しており、その長さが１０〜４０ｍｍ、好ましくは１５〜２５ｍｍ、特に約２０ｍｍであることを特徴とする、先の請求項のいずれかに記載の髄間ピン（１）。
【請求項１６】
前記ピンの先端が、ねじによるロッキングさえ無しに回転を防ぐことを確実にするために、大腿骨の遠方領域にて海綿組織内に回転無しで取り付けられることができるような方法で形成されていることを特徴とする、先の請求項のいずれかに記載の髄間ピン（１）。
【発明の詳細な説明】
【技術分野】
【０００１】
本発明は、大腿骨の髄質空間への挿入のための髄間ピンに関する。
【背景技術】
【０００２】
従来技術は、米国特許第６４６１３６０号（US6461360B1）を含んでいる。それは、骨の組み立てのための髄間ピンを実質的に記述している。大腿骨への挿入前に、髄間ピンは、その遠端にて、サジタル面（矢状方向：身体の正中面に平行な断面）内において大腿骨の湾曲に対応する湾曲を有する。その近端は、正面方向の平面において一定の湾曲半径を有する連続曲線を描く。
【０００３】
米国特許第６０１０５０６号（US6010506）は、異なる半径が全て一つの平面内に存在するハイブリッドピンを開示している。
【０００４】
国際特許出願公開第０２８９６８３号（WO02089683）は、外形が螺旋であるピンを開示している。この外形により、順行方向に挿入されるピンの侵入点が転子（大腿骨上部の突起）先端から横方向に変位できる。ピンの挿入に際して、ピンは約９０°回転する。このピンの回転は、実質的にその外形によって影響される。髄質空間の内壁及び海綿体が、ここではガイド構造として作用する。
【発明の開示】
【発明が解決しようとする課題】
【０００５】
しかし、単純な螺旋状の外形を使用した場合では、骨の解剖学的構造の違いによって引き起こされる困難が存在する。端点に到達すると、遠方（身体の中心から離れた）ロッキング孔は、横方向の中心側の位置合わせ状態にはない。補正のために、ピンは、さらに挿入されるか又は引き戻されなければならない。しかし、ピンは、結果として、その長手軸の周りを回転する。これは、引き続いて、ロッキング位置の高さの望まれない変化をもたらす結果となる。これより、端点に到達すると、大腿骨の頭部におけるロッキングのために大腿骨の隘部を通って中心にねじを導入することができない。回転のみを補正するためには、今度は一方で、ピンの埋め込み深さの変位を引き起こし、これよりロッキング位置の高さにおける望まれない変化をもたらさなくてはならない。ピンの近端（身体の中心から近い）はまだ完全には骨に入っていないときには、ピンをより深く挿入しなければならない。しかし、これは、回転運動の望まれない継続をもたらす結果となる。この結果として、ロッキングオプションの最適な位置が再び変化する。
【０００６】
ピンがその最終埋め込み深さ範囲に位置するようになったとき、遠方ロッキング孔は好ましくは、正面方向の平面に平行であるか、又は横方向／中心側の位置合わせ状態にあることが望ましい。ピンはそのとき、大腿骨の頭部に大腿骨の隘部を通って挿入されたねじによって、近端（身体の中心から近い）領域に固定することができる。このロッキングのために、ピンの埋め込み深さは、ねじが大腿骨の隘部を通って中心を通過することができることを確実にしなければならない。しかし、大腿骨の隘部と頭部とは、大腿骨の長手軸の周りを正面方向の平面に対して回転している。この回転は、前捻角として記述される。これは、ピンが、その長手軸の周りのピンの回転によって、変化する前捻角に自動的に適合されなければならないことを意味する。ねじが、大腿骨の隘部を通って中心に、且つ頭部の中心に配置されることとなる。さらに、ピンの近端は、周囲の皮質と同一面にあるか、又はより深くあるべきである。これは、周囲の組織がピンの近端によって刺激されることを防ぐことを意図している。
【０００７】
したがって、前述の条件を満足するために、異なる成長を示している全ての大腿骨に対して適合された外形を有する必要がないピンを提供することが、目的である。
【課題を解決するための手段】
【０００８】
本発明は、螺旋形状の端を改良することによって、その目的を達成する。ここで、ピンの近端（身体の中心から近い）は平面内で湾曲している。遠端（身体の中心から近い）は、直線のままである。これにより、その最終埋め込み深さ範囲に到達すると、ピンが自分自身で回転を中止する。最終埋め込み深さ範囲では、ピンは、回転の変化無しに、その長手軸に沿って変位されることができる。それにもかかわらず、ピンは、その埋め込み深さを変えることなく、その長手軸の周りを任意に回転されることができる。
【０００９】
したがって、ピンの遠方（身体の中心から遠い）区間は、少なくとも部分的には湾曲を全く有しておらず、ピンの近方（身体の中心から近い）区間は、転子主軸の横方向成形体を通って髄質空間に挿入されるときに横方向の後方方向に延びる。
【００１０】
螺旋形状の端を変えることによって、骨のあるグループに対して最適に機能するインプラントを作成することができる。解剖学的組織におけるバリエーションは、埋め込みの機能性にはもはや影響しない。インプラントは、骨へのロッキングのために最適に方向付けられることができる。
【００１１】
本発明に従ったピンは、好ましくは、近方（身体の中心から近い）領域に、長手軸に対して傾斜し且つお互いに平行に走る２つの孔と、双方の最初の孔に交差する第３の孔とを有する。このロッキングの特色は、ロッキング可能性の組み合わせにある。本発明に従ったピンでは、順行ロッキングが特に重要性を有している。ピンに対する新しい横方向の開口は、順行ねじの挿入方向とほぼ一致する。一つのねじのみが近方（身体の中心からの近方）にセッティングされるならば、さらなる皮膚の切開は不要となる。
【００１２】
本発明に従ったピンは、好ましくは、斜めに横切るように且つお互いに平行に走る２つの孔と、２つの孔によって規定される平面に対して長手軸の周りにねじられ且つ横切るように、遠端（身体の中心から遠い）の２つの孔の間に配置された一つの孔と、を有する。中間ロッキングねじは、左右のロッキングねじに対して２５°回転して配置される。
【００１３】
遠方ロッキングの特色は、ロッキング可能性の組み合わせにある。一般的に知られている標準ロッキングに加えて、第３の孔が２つの標準的な孔の間に存在する。ピンを３つのねじでロッキングすることによって、軸方向の安定性が達成される。これは、ピンの遠端の位置が固定されることを意味している。ピンは、ねじの上で移動させることができない。軸方向ブロッキングねじの２５°の角度は、挿入中にねじが重要な柔組織を傷付けることを防ぐ。これは、例えば、ねじがサジタル方向（９０°）に挿入されると生じる。ロッキングねじは、お互いに約３０ｍｍの距離だけ離れて存在している。
【００１４】
埋め込みの導入のために、ピンは屈曲した金属に接続される。これは、通常はピンの端に平たく配置される。これにより、ピンと屈曲した金属との間の連続的な移行が生じ、輪郭がマッチングされる。
【００１５】
適切な埋め込みのためには、ピンの端をイメージング方法（Ｘ線）の助けを借りて明確に認識できることが、非常に重要である。これは、これまでの従来技術によっては、不可能であるか又は不十分な程度までしか可能ではない。不正確な挿入深さは、以下のような結果をもたらし得る。すなわち、ピンが骨の中で十分に深くまで来ないと、突出しているピンの端が、痛み、壊死などの合併症を引き起こすことがある。ピンが深く埋め込まれすぎると、結果は、ピンの近端の位置ずれを起こし得る。さらに、骨の内側への成長により、元々の挿入経路の上側部分が閉じる可能性がある。これらの可能性は、インプラントの引き抜きを困難にする。さらに、ピンの先端が膝に食い込む危険がある。
【００１６】
屈曲した金属とピンとの間の移行及び輪郭のマッチングを中断する傾斜面が、好ましくは、本発明によるピンの近端に横方向に形成される。これにより、前方−後方Ｘ線写真の場合、ピンの端は容易に且つ明確に検出可能である。これは外科治療を容易にし、より安全な使用及び短縮された手術時間をもたらす。ピン侵入点は、転子主軸の側面にある。この表面は、痩せた患者では特に、触診されることができる。これは、この表面が皮膚の薄い層によってのみ覆われていることを意味している。ピンの側面の侵入点を通って、柔組織がピンの近端によって刺激されることを防ぐことが必要である。傾斜面の利点は、この傾斜面がまた、マッチングされた輪郭によってピンの近端が側面の皮質壁にフィットするからである。これは、柔組織の刺激を防ぐ。
【００１７】
屈曲した金属上でのピンの回転を固定する溝が、好ましくは近端の中心側に配置される。比較として、従来技術は２つの溝による回転の固定を備えているが、これは、しかし、より高い製造コストをもたらす結果となる。
【００１８】
近端には、接続ねじの直径方向に対向するシャフトが屈曲した金属とピンとの間でそこに挿入されることができる円筒形状の凹部が存在する。これによって、ピンの軸が屈曲した金属と同軸に位置合わせされ、ねじ山は接触圧力のみを作用させる。比較として、従来技術は、接続ねじのねじ山のみによる直接的な同軸位置合わせを備えている。
【００１９】
特定の発展が先端の特別な形成を提供し、これは、ねじによるロッキングさえ無しに回転を防ぐことを確実にするようにするために、大腿骨の遠方領域にて海綿組織内に回転無しで取り付けられることができるようにする。このピンの先端は、放射状区間において、円形形状とは異なった特別な先端表面、特に凹状ノッチまたは平坦表面を有している。しかし、この変型例においては、引き続く、任意の、又は強制的な回転はできなくなる。
【００２０】
本発明の更なる発展が、図面及び従属請求項に与えられている。
【００２１】
これら及び参照番号のリストは、本開示の一部である。
【００２２】
本発明は、より詳細に模式的に、且つ図面を参照した例によって、説明される。
【００２３】
図面は、お互いに対して且つ全体として記述される。
【発明を実施するための最良の形態】
【００２４】
図１〜３は、本発明に従ったピン１を３つの図面で示している。近端及び遠端の平面は、お互いに対して６０°〜１１０°、好ましくは７０°〜９０°、特に８０°回転されている。この実施例では、半径は３００〜１３００ｍｍ、好ましくは９００〜１２００ｍｍ、特に約１１００ｍｍである。近方の半径は、皮質との横方向の接触表面に対応している。それは、３００〜１０００ｍｍ、好ましくは６００〜８００ｍｍ、特に約７００ｍｍである。
【００２５】
遠方直線区間の長さは、ピンの遠端が遠方の海綿構造に貫通する深さに対応する。それは、３５〜７０ｍｍ、好ましくは４０〜６０ｍｍ、特に約５２ｍｍである。
【００２６】
ピン１は、厚さ３．９〜６．０ｍｍのロッキングねじのための１２０°順行孔２、太さ３．９〜６．０ｍｍのロッキングねじのための１２０°順行孔２に中心側に一致する太さ約６．５ｍｍの軸ねじのための頭部１３０°偵察孔３、太さ約６．５ｍｍの軸ねじのための尾部約１３０°偵察孔４、及び近方領域における太さ３．９〜６．０ｍｍのロッキングねじの静的及び動的位置決めのための楕円孔５を有して設計されている。さらに、横方向の傾斜面９が、近端に認識可能である。
【００２７】
最終的に、斜めに横切るように且つお互いに平行に走る２つの孔６及び７、ならびに平行孔６及び７に対して２５°だけ捻れた前外側の孔８が、遠端に示されている。この角度は、好ましくは４５°〜１０°の間である（０°は正面方向の平面、又は２つの標準ロッキングねじの平面に対応する）。
【００２８】
図４ａ及び４ｂは、本発明に従ったピン１の先端の変形を２つの図面で示している。これは、放射状区間において、円形形状とは異なった特別な先端表面１３、特に３つの平坦な表面を有しており、これは長さが１０〜４０ｍｍ、好ましくは１５〜２５ｍｍ、特に２０ｍｍを有している。先端の全長は２０〜５０ｍｍ、好ましくは２５〜３５ｍｍ、特に３０ｍｍである。加えて、孔７が示されている。
【００２９】
図５ａ及び５ｂは、本発明に従ったピン１の先端の変形を２つの図面で示している。これは、放射状区間において、円形形状とは異なった特別な先端表面１３、特に３つの凹状ノッチを有しており、これは長さが１０〜４０ｍｍ、好ましくは１５〜２５ｍｍ、特に２０ｍｍであり、及び、半径が４〜１０ｍｍ、好ましくは５〜８ｍｍ、特に６ｍｍである。先端の全長は２０〜５０ｍｍ、好ましくは２５〜３５ｍｍ、特に３０ｍｍである。加えて、孔７が示されている。
【００３０】
図６ａ及び６ｂは、本発明に従ったピン１の先端の変形を２つの図面で示している。これは、放射状区間において、円形形状とは異なった特別な先端表面１３、特に４つの凹状ノッチを有しており、これは長さが１０〜４０ｍｍ、好ましくは１５〜２５ｍｍ、特に約２０ｍｍであり、及び、半径が４〜１０ｍｍ、好ましくは５〜８ｍｍ、特に約６ｍｍである。先端の全長は２０〜５０ｍｍ、好ましくは２５〜３５ｍｍ、特に約３０ｍｍである。加えて、孔７が示されている。
【００３１】
図７は、本発明に従ったピン１の近端を、近方方向から遠方方向に見た様子を示している。軸方向のピンの軸に対して横方向−近端にて１０°〜６０°、好ましくは約４０°の角度を有する横方向傾斜面９が示されている。最後に、ねじ山１１を有する円筒形状の凹部１２、及び近端の中心側の位置決め溝１０が、示されている。
【図面の簡単な説明】
【００３２】
【図１】前方から後方方向に、すなわち横方向−中心側平面にて見た、本発明に従ったピンを示す図である。
【図２】横方向から中心側方向に、すなわち前方−後方平面にて見た、本発明に従ったピンを示す図である。
【図３】近方から遠方方向に見た、本発明に従ったピンを示す図である。
【図４ａ】横方向から中心側方向に見た、本発明に従ったピンの先端の特定の実施形態を示す図である。
【図４ｂ】遠方から近方方向に見た、本発明に従ったピンの先端の特定の実施形態を示す図である。
【図５ａ】横方向から中心側方向に見た、本発明に従ったピンの先端の特定の実施形態を示す図である。
【図５ｂ】遠方から近方方向に見た、本発明に従ったピンの先端の特定の実施形態を示す図である。
【図６ａ】横方向から中心側方向に見た、本発明に従ったピンの先端の特定の実施形態を示す図である。
【図６ｂ】遠方から近方方向に見た、本発明に従ったピンの先端の特定の実施形態を示す図である。
【図７】近方から遠方方向に見た、本発明に従ったピンの近端を示す図である。
【符号の説明】
【００３３】
１  髄間ピン、２  順行孔、３  頭部孔、４  尾部孔、５  楕円孔、６  ７に平行な孔、７  ６に平行な孔、８  前外側の孔、９  横方向の傾斜面、１０  位置決め溝、１１  ねじ山、１２  円筒形状の凹部、１３  先端表面。
【図１】
2008516659.tif 000003
【図２】
2008516659.tif 000004
【図３】
2008516659.tif 000005
【図４ａ】
2008516659.tif 000006
【図４ｂ】
2008516659.tif 000007
【図５ａ】
2008516659.tif 000008
【図５ｂ】
2008516659.tif 000009
【図６ａ】
2008516659.tif 000010
【図６ｂ】
2008516659.tif 000011
【図７】
2008516659.tif 000012
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
転子主軸の横方向成形体を通って大腿骨の髄質空間に挿入される髄間ピンであって、
近方ピン区間と、それに隣接する遠方ピン区間と、を備え、
且つ、両方のピン区間において骨ねじのための孔を備えており、
前記近方ピン区間が長手軸に対して斜めに走る少なくとも一つの孔を有しており、骨ねじが前記孔を通って大腿骨の頭部に挿入されることができ、
前記遠方ピン区間が少なくとも部分的に直線であり、前記近方ピン区間が横方向−後方方向に湾曲を有していることを特徴とする髄間ピン。
【請求項２】
骨ねじが、前記斜めの孔の一つを通る代わりに、順行孔を通って挿入されることができることを特徴とする、請求項１に記載の髄間ピン。
【請求項３】
近端及び遠端の平面がお互いに対して６０°〜１１０°の捻れ、前記ピンの半径は３００〜１３００ｍｍであることを特徴とする、請求項１又は２に記載の髄間ピン。
【請求項４】
前記近方ピン区間の長さが皮質との横方向接触表面に対応しており、前記近方ピン区間が３００〜１０００ｍｍの半径を有していることを特徴とする、請求項１〜３のいずれか１つに記載の髄間ピン。
【請求項５】
前記遠方直線区間の長さが、埋め込まれた状態で前記ピンの遠端が遠方海綿構造に貫通する深さに対応しており、３５〜７０ｍｍであることを特徴とする、請求項１〜４のいずれか１つに記載の髄間ピン。
【請求項６】
前記ピンが、その最終埋め込み深さ範囲に到達するとピンは自分自身で回転を中止し、且つその最終埋め込み深さ範囲では回転の変化無しにその長手軸に沿って移動させることができ、且つ前記ピンがその最終埋め込み深さ範囲で、その埋め込み深さを変えることなく、その長手軸の周りを任意に回転されることができるように形成されていることを特徴とする、請求項１〜５のいずれか１つに記載の髄間ピン。
【請求項７】
前記ピンが、
太さ約5.0ｍｍのロッキングねじのための１２０°順行孔と、
前記順行孔に中心方向に一致している太さ約6.5ｍｍの軸ねじのための頭部１３０°偵察孔と、
太さ3.9〜6.0ｍｍの軸ねじのための尾部１３０°偵察孔と、
近接領域における太さ3.9〜6.0ｍｍのロッキングねじの静的及び動的位置決めのための楕円孔と、
横切るように且つお互いに平行に走る２つの孔と、遠端において前記孔に対して２５°回転した前外側の孔と、
を備えていることを特徴とする、請求項１〜６のいずれか１つに記載の髄間ピン。
【請求項８】
前記近方ピン区間が楕円孔を有していることを特徴とする、請求項１〜７のいずれか１つに記載の髄間ピン。
【請求項９】
前記ピンが、その近端において、横方向−近端にて軸方向ピン軸に対して１０°〜６０°の角度を有する横方向傾斜面を有していることを特徴とする、請求項１〜８のいずれか１つに記載の髄間ピン。
【請求項１０】
前記ピンの前記近端と前記ピンを係合させることができる屈曲した金属との間において移行及び輪郭のマッチングが中断されることを特徴とする、請求項１〜９のいずれか１つに記載の髄間ピン。
【請求項１１】
前記ピンがその近端で単一の位置決め溝を有することを特徴とする、請求項１〜１０のいずれか１つに記載の髄間ピン。
【請求項１２】
前記ピンが、その近端で、ねじ山を有する円筒形状の凹部を有することを特徴とする、請求項１〜１１のいずれか１つに記載の髄間ピン。
【請求項１３】
前記円筒形状の凹部を通る前記ピン軸が屈曲した金属と同軸に位置合わせされることができて、前記ねじ山が接触圧力のみを作用することを特徴とする、請求項１〜１２のいずれか１つに記載の髄間ピン。
【請求項１４】
ピン先端の全長が２０〜５０ｍｍであり、これが、放射状区間において、円形形状とは異なった特別な先端表面を有しており、その長さが１０〜４０ｍｍであり、且つその半径が４〜１０ｍｍであることを特徴とする、請求項１〜１３のいずれか１つに記載の髄間ピン。
【請求項１５】
ピン先端の全長が２０〜５０ｍｍであり、これが、放射状区間において、円形形状とは異なった特別な先端表面を有しており、その長さが１０〜４０ｍｍであることを特徴とする、請求項１〜１４のいずれか１つに記載の髄間ピン。
【請求項１６】
前記ピンの先端が、ねじによるロッキングさえ無しに回転を防ぐことを確実にするために、大腿骨の遠方領域にて海綿組織内に回転無しで取り付けられることができるような方法で形成されていることを特徴とする、請求項１〜１５のいずれか１つに記載の髄間ピン。
【国際調査報告】
2008516659.tif 000013
2008516659.tif 000014
2008516659.tif 000015
2008516659.tif 000016
2008516659.tif 000017
2008516659.tif 000018